(57)【特許請求の範囲】
【請求項１】
前後方向と、
前記前後方向に直交する幅方向と、
吸収体と、
前記幅方向において前記吸収体よりも外側に延出した一対のウイングと、
前記ウイングよりも後方で、前記幅方向における外側に膨らんだ一対のヒップフラップと、
前記一対のウイングの下着に対向する面に設けられた一対のウイング粘着層と、
前記一対のヒップフラップの下着に対向する面に設けられた一対のヒップフラップ粘着層と、
前記一対のウイングが肌面側に折られた状態で、前記一対のウイング粘着層を覆うウイング剥離シートと、
前記一対のヒップフラップが肌面側に折られた状態で、前記一対のヒップフラップ粘着層を覆うヒップフラップ剥離シートと、を有する吸収性物品であって、
前記ヒップフラップ剥離シートは、前記前後方向において前記ウイング剥離シートから離れており、
前記吸収性物品は、前記幅方向における前記吸収性物品の中心に位置し、前記前後方向に延びる識別部を有し、
前記識別部の少なくとも一部は、前記ヒップフラップ剥離シートの前側端よりも前方に延びており、
前記識別部は、前記識別部の周りの吸収コアの目付よりも低い低目付領域と、前記吸収コアよりも非肌面側に設けられ、前記吸収コアよりも肌面側に設けられたシートとは異なる色を有する有色シートと、の組み合わせによって構成され、
前記低目付領域は、前記幅方向における前記吸収性物品の中心に位置し、前記前後方向に延びている、吸収性物品。
【請求項２】
前後方向と、
前記前後方向に直交する幅方向と、
吸収体と、
前記幅方向において前記吸収体よりも外側に延出した一対のウイングと、
前記ウイングよりも後方で、前記幅方向における外側に膨らんだ一対のヒップフラップと、
前記一対のウイングの下着に対向する面に設けられた一対のウイング粘着層と、
前記一対のヒップフラップの下着に対向する面に設けられた一対のヒップフラップ粘着層と、
前記一対のウイングが肌面側に折られた状態で、前記一対のウイング粘着層を覆うウイング剥離シートと、
前記一対のヒップフラップが肌面側に折られた状態で、前記一対のヒップフラップ粘着層を覆うヒップフラップ剥離シートと、を有する吸収性物品であって、
前記ヒップフラップ剥離シートは、前記前後方向において前記ウイング剥離シートから離れており、
前記吸収性物品は、前記幅方向における前記吸収性物品の中心に位置し、前記前後方向に延びる識別部を有し、
前記識別部の少なくとも一部は、前記ヒップフラップ剥離シートの前側端よりも前方に延びており、
前記ヒップフラップを通り、前記幅方向に沿った折り線を有し、
前記識別部の少なくとも一部は、前記折り線よりも前側に位置する、吸収性物品。
【請求項３】
前記識別部は、前記識別部の周りの領域と異なる触感を有する、請求項１又は請求項２に記載の吸収性物品。
【請求項４】
前記吸収体よりも肌面側に設けられた肌面シートを有し、
前記識別部は、前記肌面シートに設けられた印刷層、又は少なくとも前記肌面シートに施された圧搾部によって構成される、請求項１から３のいずれか１項に記載の吸収性物品。
【請求項５】
前記識別部は、前記一対のヒップフラップが肌面側に折られた状態で、前記一対のヒップフラップと重ならない領域に位置する、請求項１から４のいずれか１項に記載の吸収性物品。
【請求項６】
厚み方向において前記吸収体と重複する領域に設けられた本体粘着層を有し、
前記本体粘着層は、前記前後方向に間欠的に設けられている、請求項１から５のいずれか１項に記載の吸収性物品。
【請求項７】
前記前後方向において前記本体粘着層どうしの間に位置する非粘着領域の少なくとも一部は、前記前後方向における前記ウイングの中心と前記前後方向における前記ヒップフラップの中心との間に位置する、請求項６に記載の吸収性物品。
【請求項８】
前記前後方向において前記本体粘着層どうしの間に位置する非粘着領域の少なくとも一部は、前記ウイング剥離シートと前記ヒップフラップ剥離シートとの間に位置する、請求項６又は請求項７に記載の吸収性物品。
【請求項９】
少なくとも前記ヒップフラップ剥離シートよりも前の領域において、肌面側に折られた前記一対のヒップフラップどうしの間隔は、前方から後方に向かうにつれて狭くなっている、請求項１から８のいずれか１項に記載の吸収性物品。
【発明の詳細な説明】
【技術分野】
【０００１】
本発明は、包装シートによって個別に包装された吸収性物品に関する。
【背景技術】
【０００２】
例えば、生理用ナプキンのような吸収性物品は、包装シートによって個別に包装されることがある。特許文献１は、包装シートによって個別に包装された吸収性物品を開示する。【０００３】
特許文献１に記載の吸収性物品は、表面シートと、裏面シートと、表面シートと裏面シートとの間の吸収体と、を有する。また、吸収性物品は、一対のウイングと、一対のヒップフラップと、を有する。一対のウイングは、吸収体よりも幅方向の外側に延びており、下着に装着されたときに下着の非肌面側に折り返される。一対のウイングは、一対のウイングよりも後方で、幅方向の外側に膨らんでいる。ウイングは、ウイングを下着に固定するためのウイング粘着剤層を有する。ヒップフラップは、ヒップフラップを下着に固定するためのヒップフラップ粘着剤層を有する。【０００４】
吸収性物品は、包装シート上に置かれた状態で、包装シートとともに折り畳まれる。これによって、吸収性物品は、包装シートに包まれた状態となる。折り畳まれた吸収性物品を長手方向に展開した状態において、ウイング及びヒップフラップは、吸収性物品の肌面側へ折り返されている（特許文献１の図２参照）。この状態で、１枚の剥離紙が、ウイング粘着剤層とヒップフラップ粘着剤層の両方を覆っている。剥離紙は、吸収性物品の使用前に、粘着剤層の粘着力の低下を抑制するために設けられている。
【先行技術文献】
【特許文献】
【０００５】
【特許文献１】特開２０１１−４５６０８号公報
【発明の概要】
【０００６】
使用者は、以下のような手順で、生理用ナプキンのような吸収性物品を下着に取り付ける。まず、使用者は、包装シートを開封し、吸収性物品を展開し、剥離紙を吸収性物品から剥離する。次に、吸収性物品の長手方向における一対のウイングの中心を、概ね下着の股下に相当する位置、具体的には下着の最も狭い幅を有する位置に取り付ける。それから、使用者は、吸収性物品の後方の領域、すなわちヒップフラップを有する領域を、下着の股下よりも後方の領域に取り付ける。
【０００７】
本願発明者は、吸収性物品の後方の領域が、ショーツに対して幅方向にずれて取り付けられることがあるという課題を発見した。すなわち、使用者は、吸収性物品の後方の領域の幅方向の中心が下着の幅方向の中心位置からずれているかどうか判別するための基準がないため、幅方向に関する位置決めが困難である。
【０００８】
特に、ウイングのみを下着に位置決めした状態では、吸収性物品の幅方向のずれや角度のずれを判別することは難しい。使用者は、吸収性物品全体を下着に取り付けたときに始めて、吸収性物品の後方の領域が幅方向にずれていることに気づくことがある。これは、ウイングを下着に固定したときのわずかなズレが、吸収性物品の後方に向かうとともに増大するからである。
【０００９】
ここで、特許文献１に記載した吸収性物品では、１枚の剥離紙を剥がすと、ウイング粘着剤層とヒップフラップ粘着剤層の両方が露出する。したがって、吸収性物品を下着に取り付ける途中に、吸収性物品の幅方向の位置を修正することは難しい。特に、吸収性物品全体を下着に取り付けたときに始めて吸収性物品の位置ズレに気がついた場合、使用者は、下着に固定された粘着剤層を下着から剥がす必要がある。この場合、粘着剤層の粘着力が低下することがある。
したがって、下着に取り付ける際に位置ズレを抑制することができる吸収性物品が望まれる。
【００１０】
一態様に係る吸収性物品は、前後方向と、前記前後方向に直交する幅方向と、吸収体と、前記幅方向において前記吸収体よりも外側に延出した一対のウイングと、前記ウイングよりも後方で、前記幅方向における外側に膨らんだ一対のヒップフラップと、前記一対のウイングの下着に対向する面に設けられた一対のウイング粘着層と、前記一対のヒップフラップの下着に対向する面に設けられた一対のヒップフラップ粘着層と、前記一対のウイングが肌面側に折られた状態で、前記一対のウイング粘着層を覆うウイング剥離シートと、前記一対のヒップフラップが肌面側に折られた状態で、前記一対のヒップフラップ粘着層を覆うヒップフラップ剥離シートと、を有する吸収性物品であって、前記ヒップフラップ剥離シートは、前記前後方向において前記ウイング剥離シートから離れており、前記吸収性物品は、前記幅方向における前記吸収性物品の中心に位置し、前記前後方向に延びる識別部を有し、前記識別部の少なくとも一部は、前記ヒップフラップ剥離シートの前側端よりも前方に延びている。
【図面の簡単な説明】
【００１１】
【図１】第１実施形態における吸収性物品の平面図である。
【図２】図１とは反対側から見た吸収性物品の平面図である。
【図３】包装シートによって個別に包装された吸収性物品の平面図である。
【図４】ウイング及びヒップフラップが折られた第１実施形態に係る吸収性物品の平面図である。
【図５】吸収性物品を下着に取り付ける手順を説明するための模式図である。
【図６】第２実施形態における吸収性物品の平面図である。
【図７】ウイング及びヒップフラップが折られた第２実施形態に係る吸収性物品の平面図である。
【図８】図６のＡ−Ａ線に沿った吸収性物品の断面図である。
【発明を実施するための形態】
【００１２】
（１）実施形態の概要
本明細書及び添付図面の記載により、少なくとも以下の事項が明らかとなる。
【００１３】
一態様に係る吸収性物品は、前後方向と、前記前後方向に直交する幅方向と、吸収体と、前記幅方向において前記吸収体よりも外側に延出した一対のウイングと、前記ウイングよりも後方で、前記幅方向における外側に膨らんだ一対のヒップフラップと、前記一対のウイングの下着に対向する面に設けられた一対のウイング粘着層と、前記一対のヒップフラップの下着に対向する面に設けられた一対のヒップフラップ粘着層と、前記一対のウイングが肌面側に折られた状態で、前記一対のウイング粘着層を覆うウイング剥離シートと、前記一対のヒップフラップが肌面側に折られた状態で、前記一対のヒップフラップ粘着層を覆うヒップフラップ剥離シートと、を有する吸収性物品であって、前記ヒップフラップ剥離シートは、前記前後方向において前記ウイング剥離シートから離れており、前記吸収性物品は、前記幅方向における前記吸収性物品の中心に位置し、前記前後方向に延びる識別部を有し、前記識別部の少なくとも一部は、前記ヒップフラップ剥離シートの前側端よりも前方に延びている。
【００１４】
本態様に係る吸収性物品によれば、使用者は、以下のような手順で、吸収性物品を下着に取り付けることができる。まず、使用者は、包装シートを開封し、吸収性物品を展開し、ウイング剥離シートを吸収性物品から剥離する。次に、前後方向における一対のウイングの中心を、概ね下着の股下に相当する位置、具体的には下着の最も狭い幅を有する位置に取り付ける。次に、識別部が幅方向における下着の中心に一致するように、吸収性物品の後側域を下着に取り付ける。これにより、吸収性物品の後側域が下着に対して幅方向に位置ズレすることを抑制することができる。
【００１５】
また、ヒップフラップ剥離シートがウイング剥離シートから離れているので、一対のヒップフラップが肌面側に折られた状態でウイングを下着に取り付けることができる。したがって、ウイングを下着に取り付け、それから吸収性物品の後側域を下着に取り付けた後に、ヒップフラップ剥離シートを剥がし、ヒップフラップを下着に固定することができる。この場合、吸収性物品の装着中にヒップフラップ粘着層が不意に吸収性物品又は下着の予期しない場所に付着することを防止することができる。
【００１６】
好ましい一態様によれば、前記識別部は、前記識別部の周りの領域と異なる触感を有する。これにより、使用者は、識別部を触感で認識することができる。したがって、使用者は、例えばトイレの個室のような暗い場所で吸収性物品を下着に取り付ける場合であっても、触感により吸収性物品の幅方向の中心位置を判別することができる。よって、暗い場所であっても、吸収性物品の後側域が下着に対して幅方向に位置ズレすることを抑制することができる。
【００１７】
好ましい一態様によれば、吸収性物品は前記吸収体よりも肌面側に設けられた肌面シートを有し、前記識別部は、前記肌面シートに設けられた印刷層、又は少なくとも前記肌面シートに施された圧搾部によって構成される。本態様によれば、印刷層又は圧搾部によって、識別部を容易に形成することができる。
【００１８】
好ましい一態様によれば、前記識別部は、前記識別部の周りの吸収コアの目付よりも低い低目付領域と、前記吸収コアよりも非肌面側に設けられ、前記吸収コアよりも肌面側に設けられたシートとは異なる色を有する有色シートと、の組み合わせによって構成され、前記低目付領域は、前記幅方向における前記吸収性物品の中心に位置し、前記前後方向に延びている。
【００１９】
吸収コアよりも非肌面側に設けられた有色シートは、低目付領域で透けて見える。したがって、吸収性物品を肌面側から見たとき、幅方向における吸収性物品の中心で前後方向に延びた低目付領域が、他の領域とは異なる色に見える。このように、有色シートと低目付領域によって識別部を構成することができる。
【００２０】
好ましい一態様によれば、前記識別部は、前記一対のヒップフラップが肌面側に折られた状態で、前記一対のヒップフラップと重ならない領域に位置する。これにより、識別部が一対のヒップフラップで覆い隠されることがないため、使用者は識別部を容易に認識することができる。
【００２１】
好ましい一態様によれば、吸収性物品は、前記ヒップフラップを通り、前記幅方向に沿った折り線を有し、前記識別部の少なくとも一部は、前記折り線よりも前側に位置する。
【００２２】
ヒップフラップを通る折り線よりも後側の領域は、折り癖によって肌面側に浮き上がる方向に曲がり易い。したがって、仮に識別部がヒップフラップを通る折り線よりも後側に存在すると、ヒップフラップを通る折り線よりも後側の領域が浮き上がる方向に曲がることにより、識別部は使用者から見えづらくなってしまう。
【００２３】
本態様では、識別部がヒップフラップを通る折り線よりも前側に存在するため、使用者は、吸収性物品の着用中に識別部を認識し易い。
【００２４】
好ましい一態様によれば、吸収性物品は、厚み方向において前記吸収体と重複する領域に設けられた本体粘着層を有し、前記本体粘着層は、前記前後方向に間欠的に設けられている。
【００２５】
仮に、本体粘着層が前後方向に連続的に延びていると、吸収性物品の取り付け角度や幅方向における位置が若干ずれたとしても、吸収性物品を取り付ける途中でそのずれを修正しにくい。本態様では、本体粘着層が前後方向に間欠的に設けられているので、本体粘着層が存在しない領域において吸収性物品の幅方向の位置を調整しつつ、前側から後側に向かって吸収性物品を下着に装着することができる。
【００２６】
好ましい一態様によれば、前記前後方向において前記本体粘着層どうしの間に位置する非粘着領域の少なくとも一部は、前記前後方向における前記ウイングの中心と前記前後方向における前記ヒップフラップの中心との間に位置する。
【００２７】
非粘着領域がウイングの中心とヒップフラップの中心との間にあるので、使用者は、ウイングの中心とヒップフラップの中心と間の領域で吸収性物品の幅方向の位置を調整することができる。これにより、吸収性物品の後方の領域の幅方向における位置ズレを解消することができる。
【００２８】
好ましい一態様によれば、前記前後方向において前記本体粘着層どうしの間に位置する非粘着領域の少なくとも一部は、前記ウイング剥離シートと前記ヒップフラップ剥離シートとの間に位置する。
【００２９】
識別部は、ヒップフラップ剥離シートの前端部から前方に延びているので、非粘着領域は識別部の付近に位置することになる。これにより、使用者は、識別部によって吸収性物品の幅方向の位置がずれていることに気づいたときに、非粘着領域において容易に吸収性物品の幅方向の位置を調節することができる。
【００３０】
好ましい一態様によれば、少なくとも前記ヒップフラップ剥離シートよりも前の領域において、肌面側に折られた前記一対のヒップフラップどうしの間隔は、前方から後方に向かうにつれて狭くなっている。
【００３１】
これにより、一対のヒップフラップが肌面側に折られた状態で、使用者の目線は、ヒップフラップの前方側から後方に向かうにつれて、幅方向における吸収性物品の中心に向かい易い。したがって、使用者は、自然に識別部を見つけることができ、下着に吸収性物品を装着する際に幅方向における下着の中心に識別部が位置するように、吸収性物品を装着しようとし易くなる。
【００３２】
（２）吸収性物品の構成
以下、図面を参照して、第１実施形態に係る吸収性物品ついて説明する。吸収性物品は、パンティーライナー（おりものシート）や生理用ナプキンや失禁パッド、使い捨ておむつ等の任意の吸収性物品であってよい。以下の実施形態では、吸収性物品の一例として使い捨ての生理用ナプキンについて説明する。
【００３３】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３４】
図１は、一実施形態における吸収性物品の平面図である。図２は、吸収性物品の背面図である。吸収性物品１は、互いに直交する長手方向Ｌと幅方向Ｗを有する。以下において、使用時に着用者の肌に面する側を「肌対向面側」又は「肌面側」と称する。また、使用時に、肌対向面側とは反対側、すなわち着用者の肌とは反対に向けられる側を「非肌対向面側」又は「非肌面側」と称する。
【００３５】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は、下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後側に位置する。後側域Ｓ３の後端縁は吸収性物品１の後端縁を規定する。
【００３６】
吸収性物品１は、ウイング３及びヒップフラップ４を有する。ウイング３及びヒップフラップ４は、股下域Ｓ１における吸収体３０の外側縁よりも幅方向Ｗの外側に延出している。ヒップフラップ４は、ウイング３よりも後方に設けられている。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。股下域Ｓ１の長手方向Ｌの中心は、ウイングの長手方向の中心と一致していてよい。ヒップフラップ４は、後側域Ｓ３に設けられている。
【００３７】
吸収性物品１は、肌面シート１０、非肌面シート２０及び吸収体３０を有する。肌面シート１０は、吸収体３０よりも肌対向面側に設けられる。肌面シート１０は、トップシート１１及びサイドシート１２を有していてよい。トップシート１１は、体液等の液体を透過する液透過性のシートである。サイドシート１２は、幅方向Ｗにおけるトップシート１１の外側縁を覆い、トップシート１１よりも幅方向Ｗの外側へ延びている。非肌面シート２０は、液不透過性のシートである。非肌面シート２０は、吸収体３０よりも非肌対向面側に設けられる。
【００３８】
非肌面シート２０には、吸収性物品１を下着に固定するための粘着層が設けられている。粘着層は、吸収体３０と重なる領域に配置された本体粘着層６０と、ウイング３の下着に対向する面に配置されたウイング粘着層６３と、ヒップフラップ４の下着に対向する面に配置されたヒップフラップ粘着層６４と、を有する。本体粘着層６０は、少なくとも股下域Ｓ１に設けられた第１本体粘着層６１と、少なくとも後側域Ｓ３に設けられた第２本体粘着層６２と、含む。
【００３９】
吸収体３０は、肌面シート１０と非肌面シート２０との間に設けられる。吸収体３０は、少なくとも股下域Ｓ１と後側域Ｓ３に配置されている。吸収体３０は、液体を吸収する吸収材料からなる吸収コアと、吸収コアを包むカバーシートと、を含む。
【００４０】
吸収性物品１は、少なくとも後側域Ｓ３に、中央圧搾部８１を有する。中央圧搾部８１は、少なくとも肌面シート１０であるトップシート１１と吸収体３０とを厚み方向に圧縮することによって形成されている。中央圧搾部８１は、幅方向Ｗにおける吸収性物品１の中心に位置し、前後方向Ｌに延びている。
【００４１】
吸収性物品１は、中央圧搾部８１の他に、後側域Ｓ３において、幅圧搾部８２と長手圧搾部８３とを有していてもよい。幅圧搾部８２及び長手圧搾部８３は、少なくとも吸収体３０を厚み方向に圧縮することによって形成されていればよい。本実施形態では、幅圧搾部８２及び長手圧搾部８３は、後側域Ｓ３において、トップシート１１及び吸収体３０に形成されている。
【００４２】
中央圧搾部８１、幅圧搾部８２及び／又は長手圧搾部８３は、複数の点状の圧搾部の集合体によって構成されている。この代わりに、中央圧搾部８１、幅圧搾部８２及び長手圧搾部８３は、線状に連続的に延びた圧搾部によって構成されていてもよい。
【００４３】
中央圧搾部８１は、長手方向Ｌに延びており、着用時に長手方向Ｌに延びる変形基点を構成する。股下域が着用時に着用者の両脚によって挟まれることによって、後側域Ｓ３には幅方向の外側から幅方向の内側に向かう力がかかる。この力によって、中央圧搾部８１のところで、吸収性物品の後側域Ｓ３が着用者の臀裂に向かって突出する。したがって、着用者の身体への吸収性物品のフィット性を向上できる。
【００４４】
幅圧搾部８２は、中央圧搾部８１から幅方向Ｗの外側へ延びており、着用時に幅方向Ｗに延びる変形基点を構成する。幅圧搾部８２は、前側から後側に向かうにつれて幅方向Ｗの外側から幅方向Ｗの内側に延びる。幅圧搾部８２は、幅方向に延びる変形基点としてそれぞれ機能する。よって、後側域Ｓ３が身体の前後方向に沿った丸みに沿うように変形し易くなり、吸収性物品がより臀部にフィットし易くなる。
【００４５】
一対の長手圧搾部８３は、中央圧搾部８１及び幅圧搾部８２よりも幅方向Ｗの両外側において、長手方向Ｌに延びており、着用時に長手方向Ｌに延びる変形基点を構成する。これにより、後側域Ｓ３に幅方向の外側から幅方向の内側に向かう力がかかったときに、一対の長手圧搾部８３の間の領域が、着用者の臀裂に向かってより突出し易くなる。したがって、着用者の身体への吸収性物品のフィット性をより向上できる。
【００４６】
吸収性物品１は、折り畳まれた状態で個別に包装されていてもよい。図３は、包装シート１００によって個別に包装された吸収性物品１を示している。図４は、ウイング３及びヒップフラップ４が折られた状態の吸収性物品１の平面図である。図４は、包装シート１００を開いた状態の吸収性物品１を示している。
【００４７】
吸収性物品１は、前後方向Ｌに沿って延びる２本の前後折り線ＦＬと、幅方向Ｗに沿って延びる少なくとも２つの幅折り線Ｆ１，Ｆ２と、を有する。一対のウイング３及び一対のヒップフラップ４は、包装状態において、前後折り線ＦＬを基準として、肌面側に折り返される。前後折り線ＦＬは、吸収体３０よりも幅方向Ｗにおける外側に配置されていてよい。
【００４８】
少なくとも２つの幅折り線は、第１幅折り線Ｆ１と第２幅折り線Ｆ２を含む。第１幅折り線Ｆ１は、後側域Ｓ３でヒップフラップ４を通っている。第２幅折り線Ｆ２は、股下域Ｓ１又は前側域Ｓ２を通る。本実施形態では、第２幅折り線Ｆ２は前側域Ｓ２を通る。
【００４９】
前後折り線ＦＬで折られた吸収性物品１は、包装シート１００上に置かれた状態で、包装シート１００とともに第１幅折り線Ｆ１及び第２幅折り線Ｆ２で肌面側へ更に折られる。これにより、図３に示すように、吸収性物品１は、包装シート１００で包まれた状態になる。折り畳まれることによって重なった包装シート１００は、幅方向における両側部（図３における横方向の両外側に位置する部分）１０４で互いに接合されており、さらに包装シート１００の開封部分を接合テープ１０２のようなシール手段で封じることで、包装シート１００が自然に開かないようにされている。
【００５０】
吸収性物品１は、一対のウイング３が肌面側に折られた状態で、一対のウイング粘着層６３を覆うウイング剥離シート７３を有する。また、吸収性物品１は、一対のヒップフラップ４が肌面側に折られた状態で、一対のヒップフラップ粘着層６４を覆うヒップフラップ剥離シート７４を有する。ヒップフラップ剥離シート７４は、前後方向Ｌにおいてウイング剥離シート７３から離れている。
【００５１】
中央圧搾部８１の少なくとも一部は、ヒップフラップ剥離シート７４の前側端よりも前方に延びている。第１実施形態では、中央圧搾部８１は、前後方向Ｌに延びる識別部８０を構成している。
【００５２】
本態様に係る吸収性物品によれば、使用者は、以下のような手順で、吸収性物品を下着に取り付けることができる。まず、使用者は、包装シート１００を開封し、吸収性物品を展開し、ウイング剥離シート７３を吸収性物品１から剥離する。次に、前後方向Ｌにおける一対のウイング３の中心を、概ね下着Ｓの股下に相当する位置、具体的には下着Ｓの最も狭い幅を有する位置に取り付ける（図５参照）。次に、識別部８０が幅方向Ｗにおける下着の中心に一致するように、吸収性物品１の後側域Ｓ３を下着に取り付ける。これにより、吸収性物品の後側域Ｓ３が下着に対して幅方向Ｗに位置ズレすることを抑制することができる。
【００５３】
また、ヒップフラップ剥離シート７４がウイング剥離シート７３から離れているので、一対のヒップフラップ４が肌面側に折られた状態でウイング３を下着に取り付けることができる。したがって、ウイング３を下着に取り付け、それから吸収性物品１の後側域Ｓ３を下着に取り付けた後に、ヒップフラップ剥離シート７４を剥がし、ヒップフラップ４を下着に固定することができる。この場合、吸収性物品１の装着中にヒップフラップ粘着層６４が不意に吸収性物品１又は下着Ｓの予期しない場所に付着することを防止することができる。
【００５４】
本実施形態では、識別部８０は、中央圧搾部８１によって構成されている。しかしながら、識別部８０は、この構成に限られない。例えば、識別部８０は、肌面シート１０に設けられた印刷層によって構成されていてもよい。この場合であっても、前述したように、吸収性物品の後側域Ｓ３が下着に対して幅方向Ｗに位置ズレすることを抑制することができる。
【００５５】
識別部８０が、肌面シート１０に設けられた印刷層、又は少なくとも肌面シートに施された圧搾部によって構成される場合、製造時に識別部８０を容易に形成することができるという利点がある。
【００５６】
好ましくは、識別部８０は、識別部８０の周りの領域と異なる触感を有する。これにより、使用者は、識別部８０を触感で認識することができる。したがって、使用者は、例えばトイレの個室のような暗い場所で吸収性物品１を下着Ｓに取り付ける場合であっても、触感により吸収性物品１の幅方向Ｗの中心位置を判別することができる。よって、暗い場所であっても、吸収性物品１の後側域Ｓ３が下着に対して幅方向Ｗに位置ズレすることを抑制することができる。
【００５７】
識別部８０は、一対のヒップフラップ４が肌面側に折られた状態で、一対のヒップフラップ４と重ならない領域に位置することが好ましい。これにより、識別部８０が一対のヒップフラップ４で覆い隠されることがないため、使用者は識別部８０を容易に認識することができる。
【００５８】
また、識別部８０の少なくとも一部は、ヒップフラップ４を通る第１幅折り線Ｆ１よりも前側に位置することが好ましい。ヒップフラップ４を通る第１幅折り線Ｆ１よりも後側の領域は、折り癖によって肌面側に浮き上がる方向に曲がり易い。したがって、仮に識別部８０がヒップフラップ４を通る第１幅折り線Ｆ１よりも後側に存在すると、ヒップフラップ４を通る第１幅折り線Ｆ１よりも後側の領域が浮き上がる方向に曲がることにより、識別部８０が使用者から見えづらくなってしまう。本態様では、識別部８０がヒップフラップ４を通る第１幅折り線Ｆ１よりも前側に存在するため、使用者は、吸収性物品の着用中に識別部８０を認識し易い。
【００５９】
ここで、複数の幅折り線がヒップフラップ４を通る場合、識別部８０の少なくとも一部は、ヒップフラップを通る複数の幅折り線のうちの最も後側の幅折り線よりも前側に位置していてよい。さらに、識別部８０の少なくとも一部は、ヒップフラップを通る複数の幅折り線のうちの最も前側の幅折り線よりも前側に位置していることがより好ましい。この場合、ヒップフラップを通る複数の幅折り線よりも後側の領域が浮き上がることにより識別部８０が使用者から見えづらくなってしまうことを抑制することができる。
【００６０】
少なくともヒップフラップ剥離シート７４よりも前の領域において、肌面側に折られた一対のヒップフラップ４どうしの間隔は、前方から後方に向かうにつれて狭くなっていることが好ましい（図４参照）。これにより、一対のヒップフラップ４が肌面側に折られた状態で、使用者の目線は、ヒップフラップ４の前方側から後方に向かうにつれて、幅方向Ｗにおける吸収性物品の中心ＣＬに向かい易い。したがって、使用者は、自然に識別部８０を見つけることができ、下着に吸収性物品１を装着する際に幅方向における下着の中心に識別部８０が位置するように、吸収性物品を装着しようとし易くなる。
【００６１】
本体粘着層６０は、前後方向Ｌに間欠的に設けられていることが好ましい。本実施形態では、第１本体粘着層６１と第２本体粘着層６２との間に、非粘着領域ＮＳが設けられている。
【００６２】
仮に、本体粘着層６０が前後方向Ｌに連続的に延びていると、吸収性物品の取り付け角度や幅方向における位置が若干ずれたとしても、吸収性物品を取り付ける途中でそのずれを修正しにくい。本態様では、本体粘着層６０が前後方向に間欠的に設けられているので、本体粘着層６０が存在しない領域（非粘着領域ＮＳ）において吸収性物品の幅方向の位置、特に後側域Ｓ３の位置を調整し易くすることができる。これにより、吸収性物品の幅方向の位置を調整しつつ、前側から後側に向かって吸収性物品１を下着に装着し易くすることができる。
【００６３】
前後方向Ｌにおいて本体粘着層６０どうしの間に位置する非粘着領域ＮＳの少なくとも一部は、前後方向Ｌにおけるウイングの中心ＷＣと前後方向におけるヒップフラップの中心ＨＣとの間に位置することが好ましい。非粘着領域ＮＳがウイングの中心ＷＣとヒップフラップの中心ＨＣとの間にあるので、使用者は、ウイングの中心ＷＣとヒップフラップの中心ＨＣと間の領域で、吸収性物品の幅方向の位置を容易に調整することができる。これにより、吸収性物品の後側域Ｓ３の幅方向における位置ズレを解消することができる。
【００６４】
前後方向において本体粘着層６０どうしの間に位置する非粘着領域ＮＳの少なくとも一部は、ウイング剥離シート７３とヒップフラップ剥離シート７４との間に位置することが好ましい。ここで、識別部８０は、ヒップフラップ剥離シート７４の前端部から前方に延びているので、非粘着領域ＮＳは識別部８０の付近に位置することになる。これにより、使用者は、識別部８０によって吸収性物品の幅方向の位置がずれていることに気づいたときに、非粘着領域ＮＳのところで容易に吸収性物品の幅方向の位置ズレを修正することができる。
【００６５】
（３）第２実施形態
次いで、図６〜８に基づいて、第２実施形態に係る吸収性物品について説明する。なお、第２実施形態の説明において、上述の第１実施形態と同様の構成については、同符号を付し、説明を省略することがある。
【００６６】
図６は、第２実施形態における吸収性物品の平面図である。図７は、ウイング及びヒップフラップが折られた吸収性物品の平面図である。図８は、図６のＡ−Ａ線に沿った吸収性物品の断面図である。
【００６７】
第２実施形態において、吸収体３０は、液体を吸収する吸収材料からなる吸収コア３１と、吸収コア３１を覆うカバーシート３２と、吸収コア３１の非肌面側に設けられた有色シート３３と、を含む。有色シート３３は、吸収コア３１よりも肌面側に設けられたシート、ここではカバーシート３２及び肌面シート１０とは異なる色を有する。典型的には、カバーシート３２及び肌面シート１０は白色であり、有色シート３３は青色又は水色に着色されていてよい。
【００６８】
また、吸収体３０は、少なくとも後側域Ｓ３において、低目付領域４１と高目付領域４２を有する。ここで、「低目付領域」は、その周囲の吸収コアの目付よりも低い目付を有する吸収コアからなる領域、又は吸収コアを有していない領域を意味する。高目付領域４２は、低目付領域４１以外の領域であり、低目付領域４１よりも目付の高い吸収コアからなる。
【００６９】
低目付領域４１は、幅方向における吸収性物品の中心ＣＬに位置し、前後方向Ｌに延びる第１低目付領域４１ａを少なくとも含む。第１低目付領域４１ａの少なくとも一部は、ヒップフラップ剥離シート７４の前側端よりも前方に延びている。
【００７０】
低目付領域４１は、後側域Ｓ３において幅方向Ｗに延びる第２低目付領域４１ｂを含んでいてもよい。第２低目付領域４１ｂは、第１低目付領域４１ａに連なり、第１低目付領域４１ａから幅方向Ｗの外側に延びていてよい。第２低目付領域４１ｂは、長手方向Ｌに間隔を空けて複数設けられていてよい。
【００７１】
本明細書における「吸収コアの目付」の測定は、以下の測定方法によって行われるものとする。吸収性物品１がパッケージなどに封入されている場合には、パッケージから取り出し、その状態にて20℃±2℃、相対湿度60％±5％RHの雰囲気下において12時間放置したサンプルを用いる。
【００７２】
包装体によって包装された吸収性物品においては包装体を開封し、折り畳まれた吸収性物品を展開して、次いで、目付を測定する部分を吸収性物品から切り出し、切り出した部分の重量を測定する。次いで、切り出した部分から肌面シート及び非肌面シート等、吸収体以外の部分を取り除き、吸収体の重量を測定する。吸収体の重量と、目付を測定する部分の面積とに基づいて目付を算出する。
【００７３】
第２実施形態によれば、低目付領域４１を通して、吸収コア３１の非肌面側の有色シート３３の色が透けて視認可能となっている。吸収性物品１を肌面側から見ると、低目付領域４１、特に第１低目付領域４１ａのところの色が、そのまわりの領域の色と異なる色に見える。第２実施計形態では、この第１低目付領域４１ａとその色の相違が、識別部８０を構成する。言い換えると、識別部８０は、識別部の周りの吸収コア３１の目付よりも低い第１低目付領域４１ａと、吸収コア３１よりも非肌面側に設けられ、吸収コア３１よりも肌面側に設けられたシート１０，３２とは異なる色を有する有色シート３３と、の組み合わせによって構成される。この場合であっても、使用者は、第１実施形態と同様に、識別部８０を用いて吸収性物品、特に後側域Ｓ３の幅方向の位置ずれを防止することができる。
【００７４】
第１低目付領域４１ａを通して有色シート３３を視認させることを目的すると、第１低目付領域４１ａの吸収コア３１の目付は小さいことが好ましく、第１低目付領域４１ａの吸収コア３１の目付は実質的に零であることがより好ましい。ここで、実質的に零とは、設計上の目付が零であることを意味し、製造過程において第１低目付領域４１ａ以外の領域から吸収材料の一部が微量に混入すること許容する概念である。
【００７５】
第２実施形態に係る識別部８０の位置等は、第１実施形態と同様であるから、その説明を省略する。
【００７６】
（４）その他の形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
例えば、上記の第１〜第２実施形態で説明した各特徴は、互いに置き換え、又は組み合わせられる。
【００７７】
また、第１実施形態及び第２実施形態に基づき、識別部８０の様々な形態について説明したが、識別部８０は前述した形態に限られない。識別部８０は、外部から着用者によって少なくとも視認可能に構成されていればよい。
【産業上の利用可能性】
【００７８】
下着に取り付ける際に位置ズレを抑制することができる吸収性物品を提供できる。
【符号の説明】
【００７９】
１          ：吸収性物品
３          ：ウイング
４          ：ヒップフラップ
１０        ：肌面シート
２０        ：非肌面シート
３０        ：吸収体
３１        ：吸収コア
３２        ：カバーシート
３３        ：有色シート
４１        ：低目付領域
４１ａ      ：第１低目付領域
４１ｂ      ：第２低目付領域
６３        ：ウイング粘着層
６４        ：ヒップフラップ粘着層
７３        ：ウイング剥離シート
７４        ：ヒップフラップ剥離シート
８０        ：識別部
８１        ：中央圧搾部
８２        ：幅圧搾部
８３        ：長手圧搾部
Ｌ          ：長手方向
Ｗ          ：幅方向
【図１】
0006689891.tif 000002
【図２】
0006689891.tif 000003
【図３】
0006689891.tif 000004
【図４】
0006689891.tif 000005
【図５】
0006689891.tif 000006
【図６】
0006689891.tif 000007
【図７】
0006689891.tif 000008
【図８】
0006689891.tif 000009